(57)【要約】  電源装置（１０ａ）が３つのＡＣ−ＤＣ変換電源（１１〜１３）及びサービスプロセッサ（１４）を備える。サービスプロセッサ（１４）は、各ＡＣ−ＤＣ変換電源に対して投入指示を送るのではなく、各ＡＣ−ＤＣ変換電源が有する力率改善回路、コンバータに対して投入指示を送る。また、サービスプロセッサ（１４）は、３つのＡＣ−ＤＣ変換電源の力率改善回路への投入指示を起動電流が重ならないようにずらし、全ての力率改善回路の投入完了後に全コンバータへの投入指示を同時に行う。
2013136475.tif 000002
【特許請求の範囲】
【請求項１】
交流電圧を直流電圧に変換するとともに高調波電流低減を行う力率改善回路と該力率改善回路が出力する直流電圧を異なる直流電圧に変換するコンバータとを備えた複数の電源部と、
前記力率改善回路及びコンバータの起動電流が複数の電源部間で重なることに起因して電源投入時に装置に流れる電流が所定の過電流閾値以上になることがなく、かつ、複数の電源部を順番に投入する場合に要する投入時間よりも投入時間が短くなるように複数の電源部の投入を制御する制御部と
を有することを特徴とする電源装置。
【請求項２】
前記制御部は、各電源部に対して、力率改善回路の投入とコンバータの投入とを別々に指定することを特徴とする請求項１に記載の電源装置。
【請求項３】
前記制御部は、各電源部の力率改善回路に対して、各力率改善回路の起動電流が重ならないようにずらして投入を指示した後、各電源部のコンバータに対して投入を指示することを特徴とする請求項２に記載の電源装置。
【請求項４】
前記制御部は、力率改善回路に投入指示を行った後、所定の時間経過すると他の力率改善回路に投入指示を行うことを前記複数の電源部を対象として行うことにより、各力率改善回路の起動電流が重ならないようにずらして投入を指示することを特徴とする請求項３に記載の電源装置。
【請求項５】
前記制御部は、各電源部の力率改善回路及びコンバータに対する投入開始時間を指定して各電源部に対して投入を指示することを特徴とする請求項２に記載の電源装置。
【請求項６】
前記制御部は、力率改善回路に投入指示を行った後、該力率改善回路からの完了通知を受け取って他の力率改善回路に投入指示を行うことを前記複数の電源部を対象として行うことにより、各力率改善回路の起動電流が重ならないようにずらして投入を指示することを特徴とする請求項３に記載の電源装置。
【請求項７】
前記制御部は、各電源部に対して、各力率改善回路の起動電流が重ならないようにずらして電源投入を指示し、
各電源部は、力率改善回路の起動後、電源部の個数分の力率改善回路の投入が完了した後でコンバータを投入することを特徴とする請求項１に記載の電源装置。
【請求項８】
交流電圧を直流電圧に変換するとともに高調波電流低減を行う力率改善回路と該力率改善回路が出力する直流電圧を異なる直流電圧に変換するコンバータとを備えた複数の電源部を有する電源装置の電源投入制御方法において、
前記力率改善回路及びコンバータの起動電流が複数の電源部間で重なることに起因して電源投入時に装置に流れる電流が所定の過電流閾値以上になることがなく、かつ、複数の電源部を順番に投入する場合に要する投入時間よりも投入時間が短くなるように複数の電源部の投入を制御する
ことを特徴とする電源投入制御方法。
【発明の詳細な説明】
【技術分野】
【０００１】
本発明は、電源装置及び電源投入制御方法に関する。
【背景技術】
【０００２】
複数台の交流−直流変換電源（以下、「ＡＣ−ＤＣ変換電源」という）が搭載された電子装置では、全てのＡＣ−ＤＣ変換電源が同時に投入されると、起動電流が重なって過大な電流が流れる。このため、電子装置の前段に接続された無停電電源装置（以下、「ＵＰＳ（Uninterruptible  Power  Supply）」という）は過電流異常を検出し、出力を停止する。【０００３】
図２２は、複数のＡＣ−ＤＣ変換電源を備える情報処理装置を示す図である。図２２に示すように、情報処理装置９０は、３つのＡＣ−ＤＣ変換電源９１〜９３、サービスプロセッサ９４を有する。ＡＣ−ＤＣ変換電源９１〜９３は、それぞれＵＰＳ１に接続され、情報処理装置９０に電力を供給する。サービスプロセッサ９４は、ＡＣ−ＤＣ変換電源９１〜９３の投入及び停止を指示する。なお、図２２において、電流ＩはＵＰＳ１を流れる電流を示す。【０００４】
図２３は、情報処理装置９０の起動電流を示す図である。図２３において、縦軸は電流Ｉを示し、横軸は時間ｔを示す。図２３に示すように、ＡＣ−ＤＣ変換電源９１〜９３が同時投入されると、（１）各ＡＣ−ＤＣ変換電源に含まれる力率改善回路に同時に起動電流が流れ、その後、（２）各ＡＣ−ＤＣ変換電源に含まれるコンバータに同時に起動電流が流れる。ここで、３つの力率改善回路に同時に起動電流が流れると、ＵＰＳ１を流れる電流ＩはＵＰＳ過電流検出点を越え、ＵＰＳ１は出力を停止する。【０００５】
そこで、サービスプロセッサ９４は、ＡＣ−ＤＣ変換電源９１〜９３の投入タイミングをずらし、起動電流が重ならないようにシーケンス投入を行っている。図２４は、ＡＣ−ＤＣ電源をシーケンス投入した場合の情報処理装置９０の起動電流を示す図である。図２４に示すように、サービスプロセッサ９４は、ＡＣ−ＤＣ変換電源９１〜９３に対して起動電流が重ならないよう順番に投入を指示する。このため、ＵＰＳ１を流れる電流ＩはＵＰＳ過電流検出点を越えることなく、ＵＰＳ１は正常に動作する。【０００６】
なお、図２３及び図２４は、起動電流を模式的に表した図であり、実際には直流ではなく交流の起動電流が流れる。また、ＡＣ−ＤＣ変換電源には力率改善回路の起動後に流れる電流などがあるが、図ではこれらの電流は省略している。【０００７】
また、従来技術として、電源制御システムが、電算機システムを構成している複数個の装置を部分個に分割してポートに接続し、ポートを単位として、時系列の電力負荷特性が最大電力容量及び許容付加変動幅を超えないように、電源投入する技術がある。
【先行技術文献】
【特許文献】
【０００８】
【特許文献１】特公平６−１００９４９号公報
【特許文献２】特開２００８−７９３７６号公報
【特許文献３】国際公開第２００４／０５９８２２号
【発明の概要】
【発明が解決しようとする課題】
【０００９】
しかしながら、サービスプロセッサ９４がＡＣ−ＤＣ変換電源９１〜９３をシーケンス投入すると、電源の投入完了時間が電源の搭載台数分となって長くなるという問題がある。例えば、ＡＣ−ＤＣ変換電源１台の投入時間が１秒である場合、３台のＡＣ−ＤＣ変換電源の投入に必要な時間は３秒となり、同時に投入した場合の３倍となる。【００１０】
本発明は、１つの側面では、電子装置のＡＣ−ＤＣ変換電源の投入完了時間を短くすることを目的とする。
【課題を解決するための手段】
【００１１】
本願の開示する電源装置は、１つの態様において、交流電圧を直流電圧に変換するとともに高調波電流低減を行う力率改善回路と該力率改善回路が出力する直流電圧を異なる直流電圧に変換するコンバータとを備えた複数の電源部を有する。また、本願の開示する電源装置は、力率改善回路及びコンバータの起動電流が複数の電源部間で重なることに起因して電源投入時に装置に流れる電流が所定の過電流閾値以上になることがないように複数の電源部の投入を制御する制御部を有する。また、制御部は、複数の電源部を順番に投入する場合に要する投入時間よりも投入時間が短くなるように複数の電源部の投入を制御する。
【発明の効果】
【００１２】
１実施態様によれば、電子装置のＡＣ−ＤＣ変換電源の投入完了時間を短くすることができる。
【図面の簡単な説明】
【００１３】
【図１】図１は、実施例１に係る情報処理装置が有する電源装置の構成を示す図である。
【図２】図２は、ＡＣ−ＤＣ変換電源の構成を示す図である。
【図３】図３は、力率改善回路の構成を示す図である。
【図４】図４は、力率改善回路の（Ａ）〜(Ｃ)における電圧波形を示す図である。
【図５】図５は、サービスプロセッサが各ＡＣ−ＤＣ変換電源へ投入指示を送るタイミングを示す図である。
【図６】図６は、実施例１に係る情報処理装置の起動電流を示す図である。
【図７】図７は、サービスプロセッサによる電源投入処理の手順を示すフローチャートである。
【図８】図８は、サービスプロセッサが各ＡＣ−ＤＣ変換電源へ投入指示を送るタイミングの具体例を示す図である。
【図９】図９は、実施例２に係る情報処理装置の起動電流を示す図である。
【図１０】図１０は、実施例２に係るサービスプロセッサによる電源投入処理の手順を示すフローチャートである。
【図１１】図１１は、実施例３に係る情報処理装置が有する電源装置の構成を示す図である。
【図１２】図１２は、ＡＣ−ＤＣ変換電源の構成を示す図である。
【図１３】図１３は、投入タイミング情報記憶部が記憶する投入タイミング情報の一例を示す図である。
【図１４】図１４は、投入指示コマンドの一例を示す図である。
【図１５】図１５は、サービスプロセッサによる電源投入処理の手順を示すフローチャートである。
【図１６】図１６は、実施例４に係る情報処理装置が有する電源装置の構成を示す図である。
【図１７】図１７は、ＡＣ−ＤＣ変換電源の構成を示す図である。
【図１８】図１８は、実施例４に係るサービスプロセッサによる電源投入処理の手順を示すフローチャートである。
【図１９】図１９は、サービスプロセッサが各ＡＣ−ＤＣ変換電源へ投入指示を送るタイミングの一例を示す図である。
【図２０】図２０は、実施例５に係る情報処理装置の起動電流を示す図である。
【図２１】図２１は、実施例５に係るサービスプロセッサによる電源投入処理の手順を示すフローチャートである。
【図２２】図２２は、複数のＡＣ−ＤＣ変換電源を備える情報処理装置を示す図である。
【図２３】図２３は、情報処理装置の起動電流を示す図である。
【図２４】図２４は、ＡＣ−ＤＣ電源をシーケンス投入した場合の情報処理装置の起動電流を示す図である。
【発明を実施するための形態】
【００１４】
以下に、本願の開示する電源装置及び電源投入制御方法の実施例を図面に基づいて詳細に説明する。なお、この実施例は開示の技術を限定するものではない。
【実施例１】
【００１５】
まず、実施例１に係る情報処理装置が有する電源装置の構成について説明する。図１は、実施例１に係る情報処理装置が有する電源装置の構成を示す図である。図１に示すように、情報処理装置１０が有する電源装置１０ａは、３台のＡＣ−ＤＣ変換電源１１〜１３、サービスプロセッサ１４を有する。【００１６】
ＡＣ−ＤＣ変換電源１１〜１３は、それぞれＵＰＳ１に接続され、ＵＰＳ１から供給される交流電圧を直流電圧に変換して情報処理装置１０に供給する。サービスプロセッサ１４は、ＡＣ−ＤＣ変換電源１１〜１３の投入、停止の制御などを行う。【００１７】
図２は、ＡＣ−ＤＣ変換電源１１の構成を示す図である。なお、ＡＣ−ＤＣ変換電源１１〜１３はいずれも同様の構成を有するので、ここではＡＣ−ＤＣ変換電源１１を例にとって説明する。図２に示すように、ＡＣ−ＤＣ変換電源１１は、力率改善回路１１ａ、コンバータ１１ｂを有する。【００１８】
力率改善回路１１ａは、交流電圧を直流電圧に変換するとともに高調波電流低減を行う回路であり、コンバータ１１ｂは、力率改善回路１１ａが出力する直流電圧を異なる直流電圧に変換する回路である。【００１９】
図３は、力率改善回路１１ａの構成を示す図であり、図４は、力率改善回路１１ａの（Ａ）〜(Ｃ)における電圧波形を示す図である。図３に示すように、力率改善回路１１ａは、ＥＭＩ（Electro  Magnetic  Interference）フィルタ３、全波整流回路４、コイル５、ダイオード６、Ｎチャネル型ＭＯＳＦＥＴ（以下、「ＮＭＯＳ」という）７、コンデンサ８を有する。【００２０】
ＥＭＩフィルタ３は、交流電源２から供給される交流電圧からノイズを除去する回路であり、全波整流回路４は、ＥＭＩフィルタ３によりノイズが除去された交流電圧を全波整流する回路である。ＥＭＩフィルタ３への入力電圧が図４（Ａ）に示す交流電圧であるとすると、全波整流回路４の出力電圧は図４（Ｂ）に示す脈動電圧となる。【００２１】
ＮＭＯＳ７がオン、オフすることによって、コイル５にスイッチング電流が繰り返し流れ、コイル５にエネルギーが蓄えられる。そして、蓄えられたエネルギーが直流電圧化されてコンデンサ８に充電される。図４（Ｃ）は、力率改善回路１１ａが出力する直流電圧を示す。なお、図３において、ＥＭＩフィルタ３、全波整流回路４を除いた部分を「力率改善回路」と呼ぶ場合もあるが、ここでは、ＥＭＩフィルタ３、全波整流回路４を含めて「力率改善回路」と呼ぶこととする。【００２２】
図１に戻って、サービスプロセッサ１４は、サービスプロセッサ９４とは異なり、各ＡＣ−ＤＣ変換電源に対してまとめて投入指示を行うのではなく、力率改善回路、コンバータに対して別々に投入指示を行う。具体的には、サービスプロセッサ１４は、各ＡＣ−ＤＣ変換電源の力率改善回路に起動電流が重ならないようにずらして投入指示を行い、その後、全てのコンバータにまとめて投入指示を行う。【００２３】
図５は、サービスプロセッサ１４が各ＡＣ−ＤＣ変換電源へ投入指示を送るタイミングを示す図である。図５に示すように、サービスプロセッサ１４は、まず、ＡＣ−ＤＣ変換電源１１の力率改善回路に投入指示を送り（１）、その後、起動電流が重ならないように、ＡＣ−ＤＣ変換電源１２の力率改善回路に投入指示を送る（２）。そして、サービスプロセッサ１４は、起動電流が重ならないように、ＡＣ−ＤＣ変換電源１３の力率改善回路に投入指示を送り（３）、その後、ＡＣ−ＤＣ変換電源１１〜１３のコンバータに同時に投入指示を送る。【００２４】
図６は、実施例１に係る情報処理装置１０の起動電流を示す図である。図６に示すように、まずＡＣ−ＤＣ変換電源１１の力率改善回路の投入による起動電流が流れる。その後、ＡＣ−ＤＣ変換電源１２の力率改善回路の投入による起動電流が流れ、その後でＡＣ−ＤＣ変換電源１３の力率改善回路の投入による起動電流が流れる。そして、ＡＣ−ＤＣ変換電源１１〜１３のコンバータの投入による起動電流が流れる。【００２５】
このように、サービスプロセッサ１４は、各々のＡＣ−ＤＣ変換電源の力率改善回路投入指示をずらし、コンバータ投入指示を同時に行う。したがって、サービスプロセッサ１４は、起動電流の重なりによる過大な電流の発生を防ぐとともに、全てのＡＣ−ＤＣ変換電源の投入完了時間を従来と比較して短縮することができる。【００２６】
次に、サービスプロセッサ１４による電源投入処理の手順について説明する。図７は、サービスプロセッサ１４による電源投入処理の手順を示すフローチャートである。図７に示すように、サービスプロセッサ１４は、電源投入指示を受けると、ＡＣ−ＤＣ変換電源１１の力率改善回路に投入指示を送る（ステップＳ１１）。【００２７】
そして、サービスプロセッサ１４は、ＡＣ−ＤＣ変換電源１１の力率改善回路の投入が完了したか否かを判定し（ステップＳ１２）、投入が完了すると、ＡＣ−ＤＣ変換電源１２の力率改善回路に投入指示を送る（ステップＳ１３）。【００２８】
そして、サービスプロセッサ１４は、ＡＣ−ＤＣ変換電源１２の力率改善回路の投入が完了したか否かを判定し（ステップＳ１４）、投入が完了すると、ＡＣ−ＤＣ変換電源１３の力率改善回路に投入指示を送る（ステップＳ１５）。【００２９】
そして、サービスプロセッサ１４は、ＡＣ−ＤＣ変換電源１３の力率改善回路の投入が完了したか否かを判定し（ステップＳ１６）、投入が完了すると、ＡＣ−ＤＣ変換電源１１〜１３のコンバータに投入指示を送る（ステップＳ１７）。そして、サービスプロセッサ１４は、ＡＣ−ＤＣ変換電源１１〜１３のコンバータの投入が完了したか否かを判定し（ステップＳ１８）、投入が完了すると、処理を終了する。【００３０】
上述してきたように、実施例１では、サービスプロセッサ１４が、３つのＡＣ−ＤＣ変換電源１１〜１３の各力率改善回路への投入指示を起動電流が重ならないようにずらし、全ての力率改善回路の投入完了後に全コンバータへの投入指示を同時に行う。したがって、サービスプロセッサ１４は、起動電流の重なりによる過大な電流の発生を防ぐとともに、情報処理装置１０のＡＣ−ＤＣ変換電源の投入完了時間を短縮することができる。
【実施例２】
【００３１】
ところで、上記実施例１では、ＡＣ−ＤＣ変換電源１１〜１３の力率改善回路への投入指示をどのようにずらすかについては説明を行わなかった。そこで、実施例２では、ＡＣ−ＤＣ変換電源１１〜１３の力率改善回路への投入指示を所定の時間間隔で行うことによって、投入指示をずらす場合について説明する。【００３２】
図８は、サービスプロセッサ１４が各ＡＣ−ＤＣ変換電源へ投入指示を送るタイミングの具体例を示す図である。図８に示すように、サービスプロセッサ１４は、まず、ＡＣ−ＤＣ変換電源１１の力率改善回路に投入指示を送り（１）、その０．４秒後に、ＡＣ−ＤＣ変換電源１２の力率改善回路に投入指示を送る（２）。ここで、０．４秒は、各ＡＣ−ＤＣ変換電源の投入開始から完了までに要する時間である。そして、サービスプロセッサ１４は、さらに０．４秒後に、ＡＣ−ＤＣ変換電源１３の力率改善回路に投入指示を送り（３）、そのさらに０．４秒後に、ＡＣ−ＤＣ変換電源１１〜１３のコンバータに同時に投入指示を送る。【００３３】
図９は、実施例２に係る情報処理装置１０の起動電流を示す図である。図９に示すように、まずＡＣ−ＤＣ変換電源１１の力率改善回路の投入による起動電流が流れる。そして、０．４秒後に、ＡＣ−ＤＣ変換電源１２の力率改善回路の投入による起動電流が流れ、その０．４秒後に、ＡＣ−ＤＣ変換電源１３の力率改善回路の投入による起動電流が流れる。そして、さらにその０．４秒後に、ＡＣ−ＤＣ変換電源１１〜１３のコンバータの投入による起動電流が流れる。【００３４】
このように、サービスプロセッサ１４は、各ＡＣ−ＤＣ変換電源の力率改善回路投入指示を０．４秒ずつずらし、ＡＣ−ＤＣ変換電源１３の力率改善回路の投入から０．４秒後にコンバータ投入指示を同時に行う。したがって、サービスプロセッサ１４は、起動電流の重なりによる過大な電流の発生を防ぐとともに、全てのＡＣ−ＤＣ変換電源の投入完了時間を０．４＋０．４＋０．４＋０．６＝１．８秒に短縮することができる。【００３５】
次に、実施例２に係るサービスプロセッサ１４による電源投入処理の手順について説明する。図１０は、実施例２に係るサービスプロセッサ１４による電源投入処理の手順を示すフローチャートである。図１０に示すように、サービスプロセッサ１４は、電源投入指示を受けると、ＡＣ−ＤＣ変換電源１１の力率改善回路に投入指示を送る（ステップＳ２１）。【００３６】
そして、サービスプロセッサ１４は、ＡＣ−ＤＣ変換電源１１の力率改善回路への投入指示から０．４秒経過したか否かを判定し（ステップＳ２２）、０．４秒経過すると、ＡＣ−ＤＣ変換電源１２の力率改善回路に投入指示を送る（ステップＳ２３）。【００３７】
そして、サービスプロセッサ１４は、ＡＣ−ＤＣ変換電源１２の力率改善回路への投入指示から０．４秒経過したか否かを判定し（ステップＳ２４）、０．４秒経過すると、ＡＣ−ＤＣ変換電源１３の力率改善回路に投入指示を送る（ステップＳ２５）。【００３８】
そして、サービスプロセッサ１４は、ＡＣ−ＤＣ変換電源１３の力率改善回路への投入指示から０．４秒経過したか否かを判定し（ステップＳ２６）、０．４秒経過すると、ＡＣ−ＤＣ変換電源１１〜１３のコンバータに投入指示を送る（ステップＳ２７）。そして、サービスプロセッサ１４は、ＡＣ−ＤＣ変換電源１１〜１３のコンバータへの投入指示から０．６秒経過したか否かを判定し（ステップＳ２８）、０．６秒経過すると、処理を終了する。ここで、０．６秒は、コンバータの投入開始から完了までに要する時間である。【００３９】
上述してきたように、実施例２では、サービスプロセッサ１４が、各々のＡＣ−ＤＣ変換電源の力率改善回路への投入指示を０．４秒ずつずらし、ＡＣ−ＤＣ変換電源１３の力率改善回路への投入指示から０．４秒後にコンバータ投入指示を同時に行う。したがって、サービスプロセッサ１４は、起動電流の重なりによる過大な電流の発生を防ぐとともに、全てのＡＣ−ＤＣ変換電源の投入を１．８秒に短縮することができる。
【実施例３】
【００４０】
上記実施例１及び２では、サービスプロセッサが力率改善回路及びコンバータに投入指示を送る場合について説明したが、サービスプロセッサは力率改善回路及びコンバータの投入タイミングを指定する情報をＡＣ−ＤＣ変換電源に送るようにすることもできる。そこで、サービスプロセッサが力率改善回路及びコンバータの投入タイミングを指定する情報をＡＣ−ＤＣ変換電源に送る場合について説明する。【００４１】
まず、実施例３に係る情報処理装置が有する電源装置の構成について説明する。図１１は、実施例３に係る情報処理装置が有する電源装置の構成を示す図である。図１１に示すように、情報処理装置３０が有する電源装置３０ａは、３台のＡＣ−ＤＣ変換電源３１〜３３、サービスプロセッサ３４を有する。【００４２】
ＡＣ−ＤＣ変換電源３１〜３３は、それぞれＵＰＳ１に接続され、ＵＰＳ１から供給される交流電圧を直流電圧に変換して情報処理装置３０に供給する。サービスプロセッサ３４は、ＡＣ−ＤＣ変換電源３１〜３３の投入、停止の制御などを行う。【００４３】
図１２は、ＡＣ−ＤＣ変換電源３１の構成を示す図である。なお、ＡＣ−ＤＣ変換電源３１〜３３はいずれも同様の構成を有するので、ここではＡＣ−ＤＣ変換電源３１を例にとって説明する。図１２に示すように、ＡＣ−ＤＣ変換電源３１は、力率改善回路３１ａ、コンバータ３１ｂ、制御部３１ｃを有する。【００４４】
力率改善回路３１ａは、交流電圧を直流電圧に変換するとともに高調波電流低減を行う回路であり、コンバータ３１ｂは、力率改善回路３１ａが出力する直流電圧を異なる直流電圧に変換する回路である。制御部３１ｃは、サービスプロセッサ３４からの指示を受けて、力率改善回路３１ａ及びコンバータ３１ｂに投入指示を行う。【００４５】
サービスプロセッサ３４は、投入タイミング情報記憶部３４ａを有する。投入タイミング情報記憶部３４ａは、ＡＣ−ＤＣ変換電源の投入タイミング情報を記憶する。図１３は、投入タイミング情報記憶部３４ａが記憶する投入タイミング情報の一例を示す図である。図１３に示すように、投入タイミング情報記憶部３４ａは、各力率改善回路の投入待ち時間、コンバータの投入待ち時間及び電源投入の完了時間をＡＣ−ＤＣ変換電源の搭載数ごとに記憶する。【００４６】
図１３において、「スキップ」は、対応する力率改善回路がないため、待ち時間がないこと、すなわち待つ必要がないことを示す。例えば、ＡＣ−ＤＣ変換電源搭載数が「２台」である場合には、力率改善回路＃０及び＃１の投入待ち時間は「０．４秒」であるが、力率改善回路＃２はないため、投入待ち時間は「スキップ」である。【００４７】
サービスプロセッサ３４は、投入タイミング情報記憶部３４ａが記憶する投入タイミング情報と電源装置に搭載されたＡＣ−ＤＣ変換電源の数とに基づいて投入指示コマンドを作成し、各ＡＣ−ＤＣ変換電源に送信する。【００４８】
図１４は、投入指示コマンドの一例を示す図である。図１４に示すように、投入指示コマンドは、ＡＣ−ＤＣ変換電源の搭載数、各力率改善回路の投入開始時間、コンバータの投入待ち時間及び電源投入の完了時間を有する。【００４９】
図１４に示す例では、ＡＣ−ＤＣ変換電源の搭載数は「３台」であり、力率改善回路＃０の投入は、投入指示コマンド受信後「０秒」後、すなわち投入指示コマンド受信後直ちにであり、力率改善回路＃１の投入は、投入指示コマンド受信後「０．４秒」後である。また、力率改善回路＃２の投入は、投入指示コマンド受信後「０．８秒」後であり、コンバータ投入は、投入指示コマンド受信後「１．２秒」後である。【００５０】
各ＡＣ−ＤＣ変換電源の制御部は、サービスプロセッサ３４から投入指示コマンドを受信すると、投入指示コマンドを解析し、投入指示コマンドに応じて力率改善回路及びコンバータの投入を制御する。【００５１】
具体的には、ＡＣ−ＤＣ変換電源３１の制御部は、投入指示コマンドを受信すると力率改善回路＃０を投入し、ＡＣ−ＤＣ変換電源３２の制御部は、投入指示コマンドを受信すると０．４秒後に力率改善回路＃１を投入する。また、ＡＣ−ＤＣ変換電源３３の制御部は、投入指示コマンドを受信する０．８秒後に力率改善回路＃２を投入し、各ＡＣ−ＤＣ変換電源の制御部は、投入指示コマンドを受信する１．２秒後にコンバータを投入する。【００５２】
このように、各ＡＣ−ＤＣ変換電源の制御部は、サービスプロセッサ３４から受信した投入指示コマンドに基づいて力率改善回路及びコンバータを投入する。したがって、サービスプロセッサ３４は、投入指示コマンドを各ＡＣ−ＤＣ変換電源に送信するだけで各ＡＣ−ＤＣ変換電源を投入することができる。【００５３】
次に、サービスプロセッサ３４による電源投入処理の手順について説明する。図１５は、サービスプロセッサ３４による電源投入処理の手順を示すフローチャートである。図１５に示すように、サービスプロセッサ３４は、電源投入指示を受けると、ＡＣ−ＤＣ変換電源３１〜３３に投入指示コマンドを送信することによって、ＡＣ−ＤＣ変換電源３１〜３３に投入を指示する（ステップＳ３１）。【００５４】
そして、サービスプロセッサ３４は、１．８秒経過したか否かを判定し（ステップＳ３２）、１．８秒が経過すると、処理を終了する。ここで、１．８秒は、ＡＣ−ＤＣ変換電源３１〜３３の力率改善回路及びコンバータを投入指示コマンドに基づいて各制御部が投入した場合の投入完了までの時間である。【００５５】
上述してきたように、実施例３では、サービスプロセッサ３４が、投入タイミング情報記憶部３４ａに基づいて投入指示コマンドを作成し、各ＡＣ−ＤＣ変換電源に送信する。そして、各ＡＣ−ＤＣ変換電源の制御部が投入指示コマンドに基づいて力率改善回路及びコンバータを投入する。したがって、サービスプロセッサ３４は、投入指示コマンドを送信するだけで、ＡＣ−ＤＣ変換電源を投入することができる。
【実施例４】
【００５６】
上記実施例２では、所定の時間が経過するとサービスプロセッサが次の力率改善回路又はコンバータに投入指示を送る場合について説明した。しかしながら、サービスプロセッサは、力率改善回路から投入完了の通知を受け取ることによって、次の力率改善回路又はコンバータに投入指示を送ることもできる。そこで、サービスプロセッサが力率改善回路から投入完了の通知を受け取ると、次の力率改善回路又はコンバータに投入指示を送る場合について説明する。【００５７】
まず、実施例４に係る情報処理装置が有する電源装置の構成について説明する。図１６は、実施例４に係る情報処理装置が有する電源装置の構成を示す図である。図１６に示すように、情報処理装置４０が有する電源装置４０ａは、３台のＡＣ−ＤＣ変換電源４１〜４３、サービスプロセッサ４４を有する。【００５８】
ＡＣ−ＤＣ変換電源４１〜４３は、それぞれＵＰＳ１に接続され、ＵＰＳ１から供給される交流電圧を直流電圧に変換して情報処理装置４０に供給する。サービスプロセッサ４４は、ＡＣ−ＤＣ変換電源４１〜４３の投入、停止の制御などを行う。【００５９】
図１７は、ＡＣ−ＤＣ変換電源４１の構成を示す図である。なお、ＡＣ−ＤＣ変換電源４１〜４３はいずれも同様の構成を有するので、ここではＡＣ−ＤＣ変換電源４１を例にとって説明する。図１７に示すように、ＡＣ−ＤＣ変換電源４１は、力率改善回路４１ａ、コンバータ４１ｂを有する。【００６０】
力率改善回路４１ａ及びコンバータ４１ｂは、サービスプロセッサ４４から投入指示を受信し、投入が完了するとサービスプロセッサ４４へ完了通知を送信する。すなわち、図１６に示すように、サービスプロセッサ４４は、各ＡＣ−ＤＣ変換電源の力率改善回路及びコンバータに投入指示を送信し、力率改善回路及びコンバータから投入が完了したことを示す完了通知を受信する。【００６１】
このように、サービスプロセッサ４４は、各ＡＣ−ＤＣ変換電源の力率改善回路及びコンバータから完了通知を受信することによって、指示に基づく投入が完了したことを知ることができる。【００６２】
次に、実施例４に係るサービスプロセッサ４４による電源投入処理の手順について説明する。図１８は、実施例４に係るサービスプロセッサ４４による電源投入処理の手順を示すフローチャートである。図１８に示すように、サービスプロセッサ４４は、電源投入指示を受けると、ＡＣ−ＤＣ変換電源４１の力率改善回路に投入指示を送る（ステップＳ４１）。【００６３】
そして、サービスプロセッサ４４は、ＡＣ−ＤＣ変換電源４１の力率改善回路から完了通知を受信したか否かを判定し（ステップＳ４２）、受信すると、ＡＣ−ＤＣ変換電源４２の力率改善回路に投入指示を送る（ステップＳ４３）。【００６４】
そして、サービスプロセッサ４４は、ＡＣ−ＤＣ変換電源４２の力率改善回路から完了通知を受信したか否かを判定し（ステップＳ４４）、受信すると、ＡＣ−ＤＣ変換電源４３の力率改善回路に投入指示を送る（ステップＳ４５）。【００６５】
そして、サービスプロセッサ４４は、ＡＣ−ＤＣ変換電源４３の力率改善回路から完了通知を受信したか否かを判定し（ステップＳ４６）、受信すると、ＡＣ−ＤＣ変換電源４１〜４３のコンバータに投入指示を送る（ステップＳ４７）。そして、サービスプロセッサ４４は、ＡＣ−ＤＣ変換電源４１〜４３のコンバータから完了通知を受信したか否かを判定し（ステップＳ４８）、受信すると、処理を終了する。【００６６】
上述してきたように、実施例４では、サービスプロセッサ４４が、各ＡＣ−ＤＣ変換電源の力率改善回路に投入指示を送信し、投入が完了すると力率改善回路から完了通知を受信する。したがって、サービスプロセッサ４４は、完了通知に基づいて次の力率改善回路又はコンバータに投入指示を送信することができる。
【実施例５】
【００６７】
ところで、上記実施例１〜４では、サービスプロセッサが力率改善回路及びコンバータに別々に投入指示を行う場合について説明した。しかしながら、サービスプロセッサがＡＣ−ＤＣ変換電源にまとめて投入指示を行う場合でも、力率改善回路の起動電流が重ならないようにすることができる。そこで、実施例５では、サービスプロセッサがＡＣ−ＤＣ変換電源にまとめて投入指示を行う場合で、力率改善回路の起動電流が重ならない電源装置について説明する。【００６８】
図１９は、サービスプロセッサが各ＡＣ−ＤＣ変換電源へ送る投入指示のタイミングの一例を示す図である。図１９に示すように、サービスプロセッサは、まず、ＡＣ−ＤＣ変換電源＃０に投入指示を送り（１）、ＡＣ−ＤＣ変換電源＃０は１．８秒後に投入を完了する。また、サービスプロセッサは、ＡＣ−ＤＣ変換電源＃０に投入指示を送った０．４秒後に、ＡＣ−ＤＣ変換電源＃１に投入指示を送り（２）、ＡＣ−ＤＣ変換電源＃１は１．８秒後に投入を完了する。また、サービスプロセッサは、ＡＣ−ＤＣ変換電源＃１に投入指示を送った０．４秒後に、ＡＣ−ＤＣ変換電源＃２に投入指示を送り（３）、ＡＣ−ＤＣ変換電源＃２は１．８秒後に投入を完了する。したがって、サービスプロセッサは、２．６秒でＡＣ−ＤＣ変換電源＃０〜２の投入を完了することができる。【００６９】
図２０は、実施例５に係る情報処理装置の起動電流を示す図である。図２０に示すように、まずＡＣ−ＤＣ変換電源＃０の力率改善回路による起動電流が流れる。そして、０．４秒後に、ＡＣ−ＤＣ変換電源＃１の力率改善回路による起動電流が流れ、その０．４秒後にＡＣ−ＤＣ変換電源＃２の力率改善回路による起動電流が流れる。そして、さらにその０．４秒後に、ＡＣ−ＤＣ変換電源＃０のコンバータによる起動電流が流れ、さらにその０．４秒後に、ＡＣ−ＤＣ変換電源＃１のコンバータによる起動電流が流れる。そして、さらにその０．４秒後に、ＡＣ−ＤＣ変換電源＃２のコンバータによる起動電流が流れる。【００７０】
このように、サービスプロセッサは、各ＡＣ−ＤＣ変換電源の投入指示を０．４秒ずつずらす。そして、設計者は、全てのＡＣ−ＤＣ変換電源の力率改善回路の起動電流が流れ終わった後にＡＣ−ＤＣ変換電源＃０のコンバータの起動電流が流れるように電源装置を設計する。すると、サービスプロセッサは、起動電流の重なりによる過大な電流の発生を防ぐとともに、全てのＡＣ−ＤＣ変換電源の投入完了時間を２．６秒に短縮することができる。【００７１】
次に、実施例５に係るサービスプロセッサによる電源投入処理の手順について説明する。図２１は、実施例５に係るサービスプロセッサによる電源投入処理の手順を示すフローチャートである。図２１に示すように、サービスプロセッサは、電源投入指示を受けると、ＡＣ−ＤＣ変換電源＃０に投入指示を送る（ステップＳ５１）。【００７２】
そして、サービスプロセッサは、ＡＣ−ＤＣ変換電源＃０への投入指示から０．４秒経過したか否かを判定し（ステップＳ５２）、０．４秒経過すると、ＡＣ−ＤＣ変換電源＃１に投入指示を送る（ステップＳ５３）。【００７３】
そして、サービスプロセッサは、ＡＣ−ＤＣ変換電源＃１への投入指示から０．４秒経過したか否かを判定し（ステップＳ５４）、０．４秒経過すると、ＡＣ−ＤＣ変換電源＃２に投入指示を送る（ステップＳ５５）。【００７４】
そして、サービスプロセッサは、ＡＣ−ＤＣ変換電源＃２への投入指示から１．８秒経過したか否かを判定し（ステップＳ５６）、１．８秒経過すると、処理を終了する。ここで、１．８秒は、ＡＣ−ＤＣ変換電源＃２の投入開始から完了までに要する時間である。【００７５】
上述してきたように、実施例５では、サービスプロセッサが、各ＡＣ−ＤＣ変換電源への投入指示を０．４秒ずつずらす。また、全てのＡＣ−ＤＣ変換電源の力率改善回路の起動電流が流れた後にＡＣ−ＤＣ電源＃０のコンバータの起動電流が流れるように設計者は電源装置を設計する。したがって、サービスプロセッサは、起動電流の重なりによる過大な電流の発生を防ぐとともに、全てのＡＣ−ＤＣ変換電源の投入を２．６秒に短縮することができる。【００７６】
なお、実施例１〜５では、力率改善回路を順番に投入し、全ての力率改善回路の投入が完了した後でコンバータを投入する場合について説明した。しかしながら、本発明はこれに限定されるものではなく、複数の力率改善回路の投入に起因して電源装置に流れる電流がＵＰＳ過電流検出点以上にならないように電源装置が電源の投入を制御する場合にも同様に適用することができる。ただし、電源装置は、各ＡＣ−ＤＣ変換電源を順番に投入した場合よりも投入時間が短くなるように制御する必要はある。【００７７】
例えば、２つの力率改善回路の起動電流が重なる場合でも、電源装置に流れる起動電流がＵＰＳ過電流検出点以上にならないように電源装置が電源の投入を制御するようにすることもできる。また、力率改善回路の起動電流とコンバータの起動電流が重なる場合でも、電源装置に流れる起動電流がＵＰＳ過電流検出点以上にならないように電源装置が電源の投入を制御するようにすることもできる。【００７８】
また、実施例１〜５では、電源装置がＡＣ−ＤＣ変換電源を３台有する場合について説明したが、本発明はこれに限定されるものではなく、電源装置が３台以外の複数の台数を有する場合にも同様に適用することができる。【００７９】
また、実施例１〜５では、情報処理装置が有する電源装置について説明したが、本発明はこれに限定されるものではなく、直流電源を必要とする電子装置が有する電源装置に対しても同様に適用することができる。
【符号の説明】
【００８０】
１    ＵＰＳ
２    交流電源
３    ＥＭＩフィルタ
４    全波整流回路
５    コイル
６    ダイオード
７    ＮＭＯＳ
８    コンデンサ
１０,３０，４０，９０    情報処理装置
１０ａ，３０ａ，４０ａ    電源装置
１１〜１３，３１〜３３，４１〜４３，９１〜９３    ＡＣ−ＤＣ変換電源
１１ａ，３１ａ，４１ａ    力率改善回路
１１ｂ，３１ｂ，４１ｂ    コンバータ
３１ｃ    制御部
１４，３４，４４，９４    サービスプロセッサ
【図１】
2013136475.tif 000003
【図２】
2013136475.tif 000004
【図３】
2013136475.tif 000005
【図４】
2013136475.tif 000006
【図５】
2013136475.tif 000007
【図６】
2013136475.tif 000008
【図７】
2013136475.tif 000009
【図８】
2013136475.tif 000010
【図９】
2013136475.tif 000011
【図１０】
2013136475.tif 000012
【図１１】
2013136475.tif 000013
【図１２】
2013136475.tif 000014
【図１３】
2013136475.tif 000015
【図１４】
2013136475.tif 000016
【図１５】
2013136475.tif 000017
【図１６】
2013136475.tif 000018
【図１７】
2013136475.tif 000019
【図１８】
2013136475.tif 000020
【図１９】
2013136475.tif 000021
【図２０】
2013136475.tif 000022
【図２１】
2013136475.tif 000023
【図２２】
2013136475.tif 000024
【図２３】
2013136475.tif 000025
【図２４】
2013136475.tif 000026
【国際調査報告】
2013136475.tif 000027
2013136475.tif 000028